(57)【要約】      （修正有）【課題】簡易に装飾することが可能な箸置き兼用箸ホルダーを提供する。【解決手段】筒状にされたシート部材１０において山折り形状をなす上壁部１３が、互いに対向して設けられた２つの切れ込み部１４を有し、２つの切れ込み部１４に挟まれた中間部を谷折りすることで形成された谷折部を備える。上壁部１３の上面開口１３ａを塞ぐように、２つの切れ込み部１４よりも軸方向外側の上壁部１３における下面と谷折部の上面との間に挿入用シート２０が配置され、谷折部上面と２つの切れ込み部１４よりも軸方向外側の上壁部１３下面との間に箸が挿入されることで当該箸を保持し、上壁部１３又は挿入用シート２０に箸を置くことで箸置きとなる。【選択図】図１
0003175119.tif 000002
【実用新案登録請求の範囲】
【請求項１】
展開した状態において互いに対向する２つの側端部に、それぞれ係止部と被係止部とを有するシート部材を、当該係止部と被係止部とを係合させることで筒状に変形させて構成される箸置き兼用箸ホルダーであって、
筒状にされた前記シート部材において山折り形状をなす上壁部が、軸方向において互いに対向して設けられた２つの切れ込み部を有し、当該２つの切れ込み部に挟まれた中間部が谷折りされることで形成された谷折部を備え、
前記谷折部によって形成された前記上壁部の上面開口を塞ぐように、前記２つの切れ込み部よりも軸方向外側の上壁部における下面と前記谷折部の上面との間に挿入用シートが配置され、
前記谷折部上面と前記２つの切れ込み部よりも軸方向外側の上壁部下面との間に箸が挿入されることで当該箸を保持し、前記箸が抜き取られた状態で前記２つの切れ込み部よりも軸方向外側の上壁部又は挿入用シートに箸を置くことで箸置きとなる箸置き兼用箸ホルダー。
【請求項２】
前記挿入用シートが、前記谷折部の上面へ突っ張るとともに、前記挿入用シートの上面が上壁部の下面へ突っ張ることで固定される請求項１記載の箸置き兼用箸ホルダー。
【請求項３】
少なくとも一方の切れ込み部よりも軸方向外側に、前記挿入用シートを軸方向に抜けないように保持するための挿入用シート保持機構が設けられている請求項１又は２記載の箸置き兼用箸ホルダー。
【請求項４】
前記挿入用シート保持機構が、少なくとも一方の切れ込み部よりも軸方向外側の前記上壁部を折り曲げて形成される当接部を有し、当該当接部が前記挿入用シートの軸方向端部に当たることで前記挿入用シートを軸方向に抜けないように保持する請求項３記載の箸置き兼用箸ホルダー。
【請求項５】
前記挿入用シート保持機構が、少なくとも一方の切れ込み部よりも軸方向外側に、保持用切れ込み部を有し、前記切れ込み部と保持用切れ込み部とに挟まれた前記２つの切れ込み部よりも軸方向外側の上壁部の下面と、前記保持用切れ込み部よりも軸方向外側の前記２つの切れ込み部よりも軸方向外側の上壁部上面との間に挟まれるように挿入用シートが挿入されることで前記挿入用シートを保持する請求項３記載の箸置き兼用箸ホルダー。
【請求項６】
前記切れ込み部の切れ込み形状が、所定のパターンをなすように構成されている請求項１乃至５いずれかに記載の箸置き兼用箸ホルダー。
【請求項７】
前記２つの切れ込み部の切れ込み形状を組み合わせることで、１つの図柄が構成される請求項１乃至６いずれかに記載の箸置き兼用箸ホルダー。
【請求項８】
前記挿入用シートが、文字又は絵柄による装飾が施されている請求項１乃至７いずれかに記載の箸置き兼用箸ホルダー。
【考案の詳細な説明】
【技術分野】
【０００１】
本考案は、箸置き兼用箸ホルダーに関するものである。
【背景技術】
【０００２】
従来、料理店などでは、衛生を保持し洗浄の手間を省く等の利点から割り箸などの使い捨て箸が多く用いられている。通常、使い捨て箸は紙製の使い捨て箸袋又は箸ホルダーに収容されており、食事をする際には箸が箸袋又は箸ホルダーより取り出されて使用される。
【０００３】
この使い捨ての箸袋の場合、箸が取り外された後の箸袋は食事するにあたって不要なものであり、箸が取り外された後の箸袋は取り扱いに困る。この不要になった箸袋は、例えばそのまま置かれているか、使用者が箸袋を折り曲げて箸置きとして用いられている。しかしながら、箸袋を折り曲げた箸置きは品がなく、美観を損ねる。
【０００４】
このような問題を解決するために、紙製の使い捨て箸ホルダーにおいて、使用者による加工を必要とせずに箸置きとしても利用できるものが特許文献１に開示されている。
【０００５】
ところで、料理店等で供される日本料理は、食器には多彩な絵付けが施されたり、料理の盛り付けに工夫が凝らされたりして、季節に応じた装飾を施す等、膳に載せられた料理の美しさも価値の一つとして認識されている。
【０００６】
したがって、膳に載せられる箸ホルダーにおいても、料理の美観を損なわないことが求められる。しかしながら、従来の使い捨て箸置き兼用箸ホルダーは手間やコストを抑えることが目的であり、料理の装飾に合わせて簡易に装飾を変更できるものは無く、装飾を変更しようとすると箸袋全体のデザインを変更する必要がある等、手間やコストが増大してしまうといった問題がある。
【先行技術文献】
【特許文献】
【０００７】
【特許文献１】実開平８−１０５３号公報
【考案の概要】
【考案が解決しようとする課題】
【０００８】
本考案は上述したような問題点を一挙に解決するためになされたものであり、使い捨て箸ホルダーにおいて、手間やコストを抑え、使用者による加工を必要とせずに箸置きとしても利用することができるとともに、使用者の美感に訴えることができる筒型箸置き兼用箸ホルダーを提供することを目的とする。
【課題を解決するための手段】
【０００９】
すなわち、本考案に係る箸置き兼用箸ホルダーは、展開した状態において互いに対向する２つの側端部に、それぞれ係止部と被係止部とを有するシート部材を、当該係止部と被係止部とを係合させることで筒状に変形させて構成される箸置き兼用箸ホルダーであって、筒状にされた前記シート部材において山折り形状をなす上壁部が、軸方向において互いに対向して設けられた２つの切れ込み部を有し、当該２つの切れ込み部に挟まれた中間部を谷折りすることで形成された谷折部を備え、前記谷折部によって形成された前記上壁部の上面開口を塞ぐように、前記２つの切れ込み部よりも軸方向外側の上壁部における下面と前記谷折部の上面との間に挿入用シートが配置され、前記谷折部上面と前記２つの切れ込み部よりも軸方向外側の上壁部下面との間に箸が挿入されることで当該箸を保持し、前記箸が抜き取られた状態で前記２つの切れ込み部よりも軸方向外側の上壁部又は挿入用シートに箸を置くことで箸置きとなることを特徴とする。
【００１０】
このようなものであれば、使い捨て箸ホルダーにおいて、前記シート部材が筒状に変形されて構成されることで、手間やコストを抑え、使用者による加工を必要とせずに箸置きとしても利用することができる。また、筒状にされた前記シート部材に、挿入用シートが挿入されることで、料理の装飾に合わせて簡易に装飾を変更することができ、使用者の美感に訴えることができる。また、前記谷折部上面と前記２つの切れ込み部よりも軸方向外側の上壁部下面との間に箸が挿入されることで、箸ホルダーとして利用する場合に、確実に箸の先端を浮かせることができる。さらに、前記シート部材が前記係止部と前記被係止部とを係合させることで、筒状にされた場合の形状を維持することができ、形が崩れなくなり使用者の美感に訴える場合に有利になるとともに、箸が挿入される部分の形状も安定するため、確実に箸の先端を浮かせることができる。
【００１１】
また、箸ホルダーとして使用している状態から箸を引き抜く際に、前記挿入用シートが外れないようにするためには、前記挿入用シートが、前記谷折部の上面へ突っ張るとともに、前記挿入用シートの上面が上壁部の下面へ突っ張ることで固定されることが望ましい。
【００１２】
また、前記挿入用シートの軸方向における保持を確実にするためには、少なくとも一方の切れ込み部よりも軸方向外側に、前記挿入用シートを軸方向に抜けないように保持するための挿入用シート保持機構が設けられていることが望ましい。
【００１３】
また、前記挿入用シートの軸方向における保持をさらに確実にするためには、前記挿入用シート保持機構が、少なくとも一方の切れ込み部よりも軸方向外側の前記上壁部を折り曲げて形成する当接部を有し、前記挿入用シートの軸方向端部が当接部に当たることで前記挿入用シートを軸方向に抜けないように保持する構成が望ましい。
【００１４】
また、前記挿入用シートの軸方向における保持をさらに確実にする他の形態として、前記挿入用シート保持機構が、少なくとも一方の切れ込み部よりも軸方向外側に、それぞれ保持用切れ込み部を有し、前記切れ込み部と保持用切れ込み部とに挟まれた前記２つの切れ込み部よりも軸方向外側の上壁部の下面と、前記保持用切れ込み部よりも軸方向外側の前記２つの切れ込み部よりも軸方向外側の上壁部上面との間に挟まれるように挿入用シートが挿入されることで前記挿入用シートを保持する構成が望ましい。
【００１５】
また、前記挿入用シートのデザインと組み合わせて、より多彩な装飾を可能にするためには、前記切れ込み部の切れ込み形状が、所定のパターンをなすような構成、又は、
前記２つの切れ込み部の切れ込み形状を組み合わせることで、１つの図柄が構成されるものが望ましい。
【００１６】
また、料理の装飾に合わせてより簡易に装飾を変更するためには、前記挿入用シートが、文字又は絵柄による装飾が施されていることが望ましい。
【考案の効果】
【００１７】
このように本考案の箸置き兼用箸ホルダーによれば、前記シート部材が筒状に変形されて構成されることで、手間やコストを抑え、使用者による加工を必要とせずに箸置きとしても利用することができる。また、筒状にされた前記シート部材に、挿入用シートが挿入されることで、料理の装飾に合わせて簡易に装飾を変更することができ、使用者の美感に訴えることができる。
【図面の簡単な説明】
【００１８】
【図１】本考案の第１実施形態に箸置き兼用箸ホルダーを示す概略斜視図。
【図２】同実施形態に係る展開状態を示すシート部材及び挿入用シートの平面図。
【図３】同実施形態に係るシート部材が折り曲げられる過程を示す概略斜視図。
【図４】同実施形態に係るシート部材の谷折部が形成された状態を示す概略斜視図。
【図５】同実施形態に係る箸置き兼用箸ホルダーの構造を示す概略断面図。
【図６】同実施形態に係る箸置き兼用箸ホルダーに箸を挿入した状態を示す概略断面図。
【図７】同実施形態に係る箸置き兼用箸ホルダーに箸を挿入した状態を示す概略側面図。
【図８】同実施形態に係る箸置き兼用箸ホルダーを箸置きとして利用した状態を示す概略断面図。
【図９】第２実施形態に係る箸置き兼用箸ホルダーを示す概略斜視図。
【図１０】同実施形態に係るシート部材の構造を示す概略平面図。
【図１１】第３実施形態に係る箸置き兼用箸ホルダーを示す概略斜視図。
【図１２】同実施形態に係るシート部材の構造を示す概略平面図。
【図１３】変形実施形態に係るシート部材及び挿入用シートの構造を示す概略平面図。
【図１４】変形実施形態に係るシート部材の切れ込み形状を示す概略平面図。
【図１５】変形実施形態に係るシート部材の打抜き前状態を示す概略平面図。
【考案を実施するための形態】
【００１９】
以下、本考案の一実施形態について図面を参照して説明する。
【００２０】
＜第１実施形態＞
本考案の箸置き兼用箸ホルダー１００は、図１に示すように、筒状にされたシート部材１０と、筒状にされたシート部材１０に挿入された挿入用シート２０によって構成される。
【００２１】
シート部材１０は、例えば変形可能な紙で構成されたシート状の部材を打ち抜いて加工され、図２に示すように、所定の位置に折り曲げ線及び切れ込み部を設けることにより形成される概略矩形状のものであり、変形されて筒状にされる。
【００２２】
シート部材１０を筒状にして固定するための構成として、シート部材１０は、図３に示すように、展開した状態において互いに対向する一対の側端部１１０及び側端部１２０に、それぞれ設けられた係止部１１と被係止部１２とを備える。シート部材１０が筒状にされた場合の軸方向は、展開した状態における短手方向と同一の方向である。そして、図２に示すように、シート部材１０を筒状にする場合の折り曲げ方向は軸方向に直交した方向となる。
【００２３】
係止部１１は、図２に示すように、シート部材１０が展開された状態において、シート部材１０の側端部１１０から突出して形成される。突出している方向は折り曲げ方向である。また、係止部１１は、シート部材１０の側端部１１０と繋がっている基端部の幅よりも、幅の広い先端部を有するものであり、本実施形態では、平面視において、概略五角形をなす。
【００２４】
被係止部１２は、図２に示すように、側端部１１０に対向する側端部１２０側に設けられ、切れ込みによって形成された略長方形の挿入孔により構成される。被係止部１２は、係止部１１と折り曲げ方向に沿った直線上に対向して設けられている。また、被係止部１２における長手方向の寸法は、係止部１１における先端部よりも小さい。
【００２５】
係止部１１が被係止部１２に挿入された後において、係止部１１における先端部の幅よりも被係止部１２における長手方向の寸法が小さいため被係止部１２から係止部１１が抜けることが無く、シート部材１０は筒状にされた状態で固定される。
【００２６】
シート部材１０には、図２に示すように、展開した状態において、係止部１１及び被係止部１２の間に、係止部１１側と被係止部１２側にそれぞれ三本の折り曲げ線１０ａ、１０ｂ、１０ｃが所定の間隔で設けられている。この折り曲げ線１０ａ、１０ｂ、１０ｃは、軸方向に沿って設けられている。
【００２７】
それぞれ設けられた三本の折り曲げ線１０ａ、１０ｂ、１０ｃのうち、シート部材１０の最も中心側に設けられた一対の折り曲げ線１０ｃの間には、軸方向において互いに対向して設けられた一対の切れ込み部１４が設けられている。
【００２８】
この一対の切れ込み部１４は、図１及び図２に示すように、一対の折り曲げ線１０ｃの間に亘って設けられている。この一対の切れ込み部１４は互いに対称のくの字形状をなす。
【００２９】
シート部材１０には、一対の切れ込み部１４のそれぞれ外側の折り曲げ線である折り曲げ線１０ｄと、一対の切れ込み部１４の中間部の折り曲げ線である折り曲げ線１０ｅとが設けられている。
【００３０】
シート部材１０を筒状にして固定する場合は、図３に示すように、シート部材１０における折り曲げ線１０ａ、１０ｂ、１０ｃ、１０ｄ及び１０ｅが折り曲げられ、シート部材１０が筒状にされるとともに、係止部１１が被係止部１２に挿入される。係止部１１を被係止部１２に挿入される際、係止部１１における最も幅の広い部分の幅寸法よりも被係止部１２における長手方向の寸法が小さいため、係止部１１が弾性変形することで被係止部１２に挿入される。
【００３１】
係止部１１が被係止部１２に挿入され、筒状にされたシート部材１０の高さ方向における上半分が、上壁部１３として形成される。本実施形態では、図４及び図５に示すように、筒状にされたシート部材１０における一対の折り曲げ線１０ｃの間が、上壁部１３として形成される。
【００３２】
そして、図４及び図５に示すように、上壁部１３における一対の切れ込み部１４のそれぞれ外側を山折りにして山折部１５が形成され、上壁部１３における一対の切れ込み部１４の中間部を例えばＶ字状に谷折りにすることで、谷折部１６が形成される。この谷折部１６は、図５に示すように、筒状にされたシート部材１０の下壁部１７から一定距離離間されるように設定されている。
【００３３】
挿入用シート２０は、図１及び図５に示すように、谷折部１６によって形成された上壁部１３の上面開口１３ａを塞ぐように、谷折部１６の上面と、山折部１５の下面との間に挿入されて配置される。
【００３４】
挿入用シート２０は、例えば紙で構成されたシート状の部材であり、図２に示すように、少なくとも挿入用シート２０の上面におけるシート部材１０の上面開口１３ａを臨む部分には、プリントされた文字又は絵柄等の装飾が施された装飾部位２１が設けられている。
【００３５】
挿入用シート２０は、略長方形をなし、図２に示すように、長手方向の寸法Ｌ１は、シート部材１０における軸方向の寸法Ｌａよりも同一又はわずかに小さい。なお、長手方向の寸法はＬ１さらに小さくても良いが、少なくとも一対の切れ込み部１４における中間部間の最大寸法Ｌｂよりも大きい必要がある。また、挿入用シート２０の短手方向における寸法Ｌ２は、展開した状態におけるシート部材１０の折り曲げ線１０ｃ間寸法Ｌｃとほぼ同一又はわずかに小さい。
【００３６】
図５に示すように、筒状のシート部材１０に挿入された挿入用シート２０は、挿入用シート２０の復元力によって、挿入用シート２０の短手方向側端部による谷折部１６の上面への突っ張りと、挿入用シート２０の上面による山折部１５の下面へ突っ張りとにより、対向する向きで突っ張ることで筒状のシート部材１０に固定される。
【００３７】
そして、図５に示すように、筒状のシート部材１０に挿入され変形した挿入用シート２０の下面と、谷折部１６の上面との間に箸挿入空間Ｓが形成される。図７に示すように、谷折部１６が下壁部１７から一定距離離間されるように設定されているため、この箸挿入空間Ｓは、下壁部１７に対して一定距離離間されて形成される。
【００３８】
この箸挿入空間Ｓに箸Ｈが挿入され、図５、図６、図７に示すように、箸Ｈが箸挿入空間Ｓにおける挿入用シート２０の下面と谷折部１６の上面とに挟まれて保持されることで、箸Ｈの少なくとも使い代側がテーブル等に対して浮き、箸Ｈがテーブル等に直接接することを防止でき、箸ホルダーとして機能することができる。
【００３９】
なお、図６に示すように、箸ホルダーとして用いる場合、箸Ｈの使い代側を確実に浮かせるためには、図７に示すように、箸ホルダーの箸Ｈに対する位置を箸Ｈの重心よりも使い代側になるように配置することが必要である。
【００４０】
径が徐々に大きくなっていく箸Ｈが箸挿入空間Ｓに挿入される場合、箸ホルダーの箸Ｈに対する位置が箸Ｈの重心よりも使い代側になる位置で止まるように箸挿入空間Ｓの大きさが設定されることで、箸ホルダーの箸Ｈに対する位置を規定することができる。
【００４１】
箸挿入空間Ｓに挿入される箸Ｈのサイズに合わせて箸挿入空間Ｓの大きさを調節する手段として、一対の切れ込み部１４の折り曲げ方向における大きさ、つまり、一対の折り曲げ線１０ｃの離間距離を変更することで箸挿入空間Ｓの大きさを調節することができる。
【００４２】
このように箸ホルダーとして利用する場合には、上壁部１３における上面開口１３ａに挿入用シート２０の装飾部位２１が露出される。この装飾部位２１に絵柄等の装飾が施されていることで箸置き兼用箸ホルダー１００が装飾品としての機能を果たすことができる。
【００４３】
したがって、季節に応じた絵柄や文字を用いて施された、又は料理店や料理そのもののイメージに合ったデザインの装飾等、様々なバリエーションの挿入用シート２０を備えておくことで、挿入用シート２０を取り替えるだけで幅広い用途に対応することができる。
【００４４】
また、図８に示すように、山折部１５又は挿入用シート２０の上面に箸Ｈを置くことで、箸置きとして機能することができる。また、箸置きとして利用する場合、図５に示すように、挿入用シート２０の上面は山折部１５の上面よりもわずかに低くなるため、挿入用シート２０の上面に箸Ｈを置く状態が最も安定する。
【００４５】
このように構成した第１実施形態に係る箸置き兼用箸ホルダー１００によれば、シート部材１０が筒状に変形されて構成されることで、手間やコストを抑え、使用者による加工を必要とせずに箸置きとしても利用することができる。また、筒状にされたシート部材１０に、挿入用シート２０が挿入されることで、料理の装飾に合わせて簡易に装飾を変更することができ、使用者の美感に訴えることができる。また、谷折部１６上面と２つの切れ込み部１４よりも軸方向外側の上壁部１３下面との間に箸が挿入されることで、箸ホルダーとして利用する場合に、確実に箸Ｈの先端を浮かせることができる。さらに、シート部材１０が係止部１１と被係止部１２とを係合させて筒状に変形されることで、筒状にされた場合の形状を維持することができ、形が崩れなくなり使用者の美感に訴える場合に有利になるとともに、箸Ｈが挿入される部分の形状も安定するため、確実に箸Ｈの先端を浮かせることができる。
【００４６】
＜第２実施形態＞
次に、第２実施形態について図９、図１０を参照して説明する。なお、図９、図１０に付している符号が図１、図２と同じものは、第１実施形態と同じ又は対応する構成を示す。
【００４７】
第２実施形態におけるシート部材１０は、図９、図１０に示すように、挿入用シート２０の軸方向におけるズレ又は抜けを防止するための、挿入用シート保持機構３０を設けたものである。
【００４８】
本実施形態の挿入用シート保持機構３０は、シート部材１０における上壁部１３の軸方向両端部に当接部１８を有し、この当接部１８が挿入用シート２０における軸方向両端部に当たるものである。なお、当接部１８は少なくとも一方の軸方向端部に設けられているものでも良い。
【００４９】
図１０に示すように、挿入用シート保持機構３０は、シート部材１０における切れ込み部１４よりも軸方向外側の一対の側端部３１０及び側端部３２０に突出した形状を有する。この突出した形状と側端部３１０及び側端部３２０とが繋がっている部分には、折り曲げ線１８ａが設けられており、シート部材１０が筒状にされ、挿入用シート２０が挿入された後、折り曲げ線１８ａが下側に折り曲げられることで、図９に示すように、挿入用シート２０の一部を覆うように当接部１８が形成される。
【００５０】
このように構成した第２実施形態に係る箸置き兼用箸ホルダー１００によれば、挿入用シート保持機構３０が設けられ、当該挿入用シート保持機構３０が切れ込み部１４よりも軸方向外側に突出した形状の当接部１８を有し、当接部１８とシート部材１０の側端部３１０及び側端部３２０とが繋がっている根元の部分に折り曲げ線１８ａが設けられている。この折り曲げ線１８ａが下側に折り曲げられ、当接部１８が挿入用シート２０の一部を覆うように設けられることで、滑りにくい素材で作られた箸や、濡れている箸等を引き抜く際において発生する挿入用シート２０のズレ又は抜けを防止することができる。
【００５１】
また、当接部１８は、切れ込みや突出した形状等を設けずに、一対の切れ込み部１４のそれぞれ外側における折り曲げ線である折り曲げ線１０ｄの外側の端部が谷折りされ、Ｖ字状の形状を形成されることで、挿入用シート２０の軸方向におけるズレ又は抜けを防止することができる。
【００５２】
＜第３実施形態＞
次に、第３実施形態について図１１、図１２を参照して説明する。なお、図１１、図１２に付している符号が図１、図２と同じものは、第１実施形態と同じ又は対応する構成を示す。
【００５３】
第３実施形態における挿入用シート保持機構３０は、図１１、図１２に示すように、シート部材１０の形状で挿入用シート２０を挟み込むものである。
【００５４】
図１２に示すように、挿入用シート保持機構３０は、シート部材１０の上壁部１３に挿入用シート２０を挟み込むための保持用切れ込み部１９を有する。
【００５５】
保持用切れ込み部１９は、切れ込み部１４よりも軸方向外側に切れ込み部１４から所定の離間距離を置いて設けられている。この保持用切れ込み部１９は、一対の折り曲げ線１０ｃの間に亘って設けられている。この保持用切れ込み部１９は、それぞれ切れ込み部１４と同じ向きに、くの字形状をなしている。
【００５６】
この保持用切れ込み部１９を有するシート部材１０に対して、図１１に示すように、挿入用シート２０の軸方向両端部が、切れ込み部１４及び保持用切れ込み部１９に挟まれた上壁部１３の下面と、保持用切れ込み部１９よりも軸方向外側の山折部１５との間に挟まれるように挿入して配置される。
【００５７】
このように構成した第３実施形態に係る箸置き兼用箸ホルダー１００によれば、挿入用シート保持機構３０が設けられ、当該挿入用シート保持機構３０が切れ込み部１４よりも軸方向外側に保持用切れ込み部１９を有し、挿入用シート２０の軸方向両端部が、切れ込み部１４及び保持用切れ込み部１９に挟まれた上壁部１３の下面と、保持用切れ込み部１９よりも軸方向外側の山折部１５の上面との間に挟まれることで、滑りにくい素材で作られた箸や、濡れている箸等を引き抜く際において発生する挿入用シート２０のズレ又は抜けをより確実に防止することができる。
【００５８】
＜その他の変形実施形態＞
また、図１３に示すように、挿入用シート保持機構３０における保持用切れ込み１９の切れ込み幅が、切れ込み部１４よりも狭い幅の切れ込みであっても良い。この場合は、挿入用シート２０の軸方向両端部における幅が、保持用切れ込み１９の幅よりも狭いことが必要となる。また、組込み易さの観点から、シート部材１０が展開された状態において挿入用シート２０を挿入されていることが望ましい。
【００５９】
また、図１４に示すように、切れ込み部１４の切れ込み形状が、直線形、円形又は波形等の所定のパターンをなすような構成、又は、２つの切れ込み部１４の切れ込み形状を組み合わせることで、ハート形、スペード形、動物形、花びら形又は星形等の１つの図柄が構成されるものであっても良い。
【００６０】
また、図１５に示すように、打抜き前のブランクシートにおけるシート部材１０の配列を隙間無く並べることによって、歩留まりが良く、効率的な資源利用が可能になり、コストの削減が可能になる。
【００６１】
また、保持用切れ込み１９の切れ込み形状は、前記実施形態に限定されない。例えば直線形、円形又は波形等の所定のパターンをなすような構成、又は、切れ込み部１４の切れ込み形状と組み合わせることで、ハート形、スペード形、動物形、花びら形又は星形等の１つの図柄が構成されるものであっても良い。
【００６２】
また、展開状態におけるシート部材１０が矩形状である場合、長手方向を軸方向とし、短手方向を折り曲げ方向としても良い。
【００６３】
また、展開状態におけるシート部材１０の形状は必ずしも矩形状でなくてもよく、例えば円形、楕円形又は多角形等、種々の形状であっても良い。
【００６４】
また、シート部材１０における折り曲げ線の数は前記実施形態に限定されず、例えばシート部材１０における折り曲げ線は前記実施形態よりも多数設けても良いし、全て無くても良い。
【００６５】
また、筒状にされたシート部材１０の筒形状は、前記実施形態に限定されず、例えば他の多角筒形、円筒形又は半円筒形等の形状であっても良い。
【００６６】
また、シート部材１０及び挿入用シート２０は、必ずしも紙でなくてもよく、プラスチックやゴムなどの変形可能なシート部材であれば材料の変更が可能である。
【００６７】
その他、本考案は前記実施形態に限られず、その趣旨を逸脱しない範囲で種々の変形が可能であるのは言うまでもない。
【符号の説明】
【００６８】
１００・・箸置き兼用箸ホルダー
１０・・・シート部材
１０ａ・・折り曲げ線
１０ｂ・・折り曲げ線
１０ｃ・・折り曲げ線
１０ｄ・・折り曲げ線
１０ｅ・・折り曲げ線
１１・・・係止部
１２・・・被係止部
１３・・・上壁部
１３ａ・・上壁部における上面開口
１４・・・切れ込み部
１５・・・山折部
１６・・・谷折部
１７・・・下面
１１０・・側端部
１２０・・側端部
１８・・・当接部
１８ａ・・折り曲げ線
１９・・・保持用切れ込み部
２０・・・挿入用シート
２１・・・装飾部位
３０・・・挿入用シート保持機構
３１０・・側端部
３２０・・側端部
Ｌ１・・・挿入用シートの長手方向寸法
Ｌ２・・・挿入用シートの短手方向寸法
Ｌａ・・・シート部材１０の軸方向寸法
Ｌｂ・・・一対の切りこみ部１４における中間部間の最大寸法
Ｌｃ・・・展開した状態におけるシート部材１０の折り曲げ線１０ｃ間寸法
Ｈ・・・・箸
Ｓ・・・・箸挿入空間
【図１】
0003175119.tif 000003
【図２】
0003175119.tif 000004
【図３】
0003175119.tif 000005
【図４】
0003175119.tif 000006
【図５】
0003175119.tif 000007
【図６】
0003175119.tif 000008
【図７】
0003175119.tif 000009
【図８】
0003175119.tif 000010
【図９】
0003175119.tif 000011
【図１０】
0003175119.tif 000012
【図１１】
0003175119.tif 000013
【図１２】
0003175119.tif 000014
【図１３】
0003175119.tif 000015
【図１４】
0003175119.tif 000016
【図１５】
0003175119.tif 000017